(57)【要約】【課題】  無線で通信を機能を有するカードにスイッチを設け、許可スイッチをＯＮしたときにＩＤを登録し、通信機器を制限し、不用な通信を防止する。【解決手段】  接触および非接触で通信する機能を有し、外部接続機器からの記憶手段へのアクセス命令を受信し、アクセス命令を受けてアクセス手段が記憶手段へのアクセスをおこなうメモリカードにおいて、上記記憶手段へのアクセスを制御するコントローラを内蔵し、あらかじめＩＤ情報により登録された外部接続機器のみにアクセスを許可する。【選択図】  図１
2006107244.tif 000002
【特許請求の範囲】
【請求項１】
接触および非接触で通信する機能を有し、外部接続機器からの記憶手段へのアクセス命令を受信し、アクセス命令を受けてアクセス手段が記憶手段へのアクセスをおこなうメモリカードにおいて、上記記憶手段へのアクセスを制御するコントローラを内蔵し、あらかじめＩＤ情報により登録された外部接続機器のみにアクセスを許可することができることを特徴とするメモリカード。
【請求項２】
上記メモリカードは、アクセスを許可する外部接続機器のＩＤ、シリアルナンバー等の外部接続機器を識別するための情報をメモリカード内に記録することを特徴とするメモリカード。
【請求項３】
上記メモリカードは、アクセスを許可する外部接続機器のＩＤ、シリアルナンバー等の外部接続機器を識別するための情報をメモリカード内に保存・更新するアクセスを制限するスイッチを有することを特徴とするメモリカード。
【請求項４】
上記メモリカードは、接触して通信を行っているときには外部接続機器を識別するＩＤ情報の保存・更新するアクセスを禁止することを特徴とするメモリカード。
【請求項５】
上記メモリカードは、外部接続機器が複数存在する場合に、あらかじめ登録されたＩＤ情報と一致した外部接続機器とのみアクセスを許可し、通信が可能なことを特徴とするメモリカード。
【請求項６】
上記メモリカードは、外部接続機器を識別するＩＤ情報によってＩＤ登録、アクセスの許可・制限をする場合に、ＩＤ情報を外部接続機器から発信し、メモリカード側からは発信しないことでセキュリティーを確保することを特徴とするメモリカード。
【請求項７】
接触および非接触で通信する機能を有し、メモリカードへアクセス命令を送信し、アクセス命令を受けてメモリカードが応答した情報を受信する情報機器において、あらかじめＩＤ情報により登録されたメモリカードのみにアクセスが可能なことを特徴とする情報機器。
【請求項８】
上記情報機器は、アクセスを許可するメモリカードへＩＤ、シリアルナンバー等の機器を識別するための情報を送信することを特徴とする情報機器。
【請求項９】
上記情報機器は、接触して通信を行っているときには外部接続機器を識別するＩＤ情報の保存・更新するアクセスを禁止することを特徴とする情報機器。
【請求項１０】
上記情報機器は、機器が複数存在する場合に、あらかじめ登録されたＩＤ情報と一致した機器とメモリカード間のみで通信が可能なことを特徴とする情報機器。
【請求項１１】
上記情報機器は、機器を識別するＩＤ情報によってＩＤ登録、アクセスの許可・制限をする場合に、ＩＤ情報を機器から発信し、メモリカード側からは発信しないことを特徴とする情報機器。
【請求項１２】
上記情報機器は、メモリカードがスロットに挿入された際に、スイッチがオフになり、メモリカード内のＩＤ情報の書き換えが禁止される機構をもつことを特徴とする情報機器。
【請求項１３】
上記情報機器は、情報機器のスロット内に突起部を設け、メモリカードがスロットに挿入された際に、突起部とメモリカードのスイッチが接触し、突起部にスイッチが押されることで、スイッチがオフになり、メモリカード内のＩＤ情報の書き換えが禁止される機構をもつことを特徴とする情報機器。
【請求項１４】
上記情報機器は、情報機器からＩＤ情報を発信し、メモリカードのスイッチが機器の登録モードの場合にはメモリカード内の記憶手段に情報機器のＩＤ情報を保存し、メモリカードのスイッチが通常モードの場合には、情報機器からのＩＤ情報とメモリカードに保存してあるＩＤ情報を比較して、一致した場合にメモリカード内のデータを情報機器からアクセスできることを特徴とした情報機器。
【発明の詳細な説明】
【技術分野】
【０００１】
本発明は、撮像装置などの外部接続機器と接触、非接触で通信をおこなうメモリカードに関し、使用者が意図しない通信が発生することを防ぐためのメモリカードに関する。
【背景技術】
【０００２】
従来のメモリカードでは、アクセス禁止スイッチをつけ、カード内の情報にアクセスを制限する機能を持ったものがある（例えば特許文献１参照。）。
【０００３】
また、非接触通信を行うメモリカードでは、意図していなくとも、近づけるだけで外部接続機器とカードが通信を行ってしまうため、アクセス禁止スイッチをつけ、不要なときにはアクセスを禁止し、誤動作を防止する機能を持ったものがある（例えば特許文献２参照。）。
【０００４】
図１により従来のメモリカードについて説明する。
【０００５】
メモリカード100のインターフェース101と外部接続機器のインターフェースが接続され、外部接続機器とメモリカード間で通信が可能となる。
【０００６】
上記メモリカード100と撮像装置などの外部接続機器のインターフェースが接続されると、外部接続機器はインターフェース101を介して、メモリカード100にアクセス命令を送信可能になる。また、メモリカード100に電源を持っていない場合には電源を供給可能となる。
【０００７】
上記メモリカード100にはスライド可能なスイッチ105が設けられており、ユーザーが任意にスイッチ105をオン・オフすることが可能になっている。
【０００８】
上記スイッチ105がオンになっている場合にはアクセス手段が許可されている状態であり、アクセス手段102は記憶手段104よりデータを読み出してインターフェースを通して外部接続機器に送信される。
【０００９】
上記スイッチ105がオフになっている場合にはアクセス手段102が許可されていない状態であり、アクセス手段102は記憶手段104からデータを読み出して外部接続機器に送信することができない。
【００１０】
したがって、記憶手段104に記憶されているデータの外部からの改変を防ぐことが可能になる。
【００１１】
また、非接触通信を行うメモリカードでは、意図していなくとも、近づけるだけで外部接続機器とカードが通信を行ってしまうが、スイッチをオフにしておくことで、意図せず外部接続機器とカードが通信してしまうという誤動作を防止することが可能になる。
【特許文献１】特開２００３―２８８５６４
【特許文献２】特開平１１―２５９６０８
【発明の開示】
【発明が解決しようとする課題】
【００１２】
上述したように、スイッチを切り替えることによって外部接続機器からのアクセスを制限でき、カード内の情報に不正アクセスされることを防ぐことができる。
【００１３】
しかしながら、上記特開２００３−２８８５６４、特開平１１―２５９６０８の技術は、カードを使用する際にはアクセス可能状態にスイッチを切り替える必要があり、スイッチをアクセス可能状態にしたままの状態の場合には、セキュリティー機能、誤動作防止機能がまったく働かない。使用者は常にスイッチの状態に気をつけていなければセキュリティー機能、誤動作防止機能は有効にはならない。
【００１４】
また、上記カードでは、非接触な通信手段により通信を行う場合には、通信を行う際にスイッチをアクセス可能にする必要があり、アクセス可能状態で通信を行っている場合には上記のようにセキュリティー機能、誤動作防止機能は有効ではないため、不正なデータアクセスが簡単にできてしまう。
【００１５】
本発明は、上記の問題を簡便な仕組みにより、改善することを目的とする。
【課題を解決するための手段】
【００１６】
本発明は、上記目的を達成するためにアクセスを制限するための外部接続機器のＩＤ情報の利用とＩＤ情報を更新するためのオン・オフスイッチを採用している。本発明は、外部接続機器からの記憶手段202へのアクセス命令を受信し、当該アクセス命令を受けてアクセス手段203が上記記憶手段202へのアクセスをおこなうメモリカード200において、上記記憶手段202へのアクセスを制御するコントローラを内蔵し、あらかじめカード内に登録されたＩＤ情報と外部接続機器から送信されてきたのＩＤ情報が一致したときのみ記憶手段202へのアクセスを許可することで、カード内の情報にアクセスできる外部接続機器を制限できる。
【００１７】
また、登録されたＩＤ情報を書き換え禁止にするスイッチ206を有し、スイッチ206を書き換え禁止に設定しておくことで、不必要な外部接続機器の登録を禁止し、あらかじめ登録された外部接続機器とのアクセスのみが許可できる。
【発明の効果】
【００１８】
以上のように、あらかじめ撮像装置などの外部接続機器から送信されたＩＤ情報をメモリカードに記録しておき、データ通信時に外部接続機器のＩＤ情報とカードに記録してあるＩＤ情報が一致している場合のみ記憶手段へのアクセスを許可し、ＩＤ情報が一致しない場合には記憶手段へのアクセスを制限することで、あらかじめ登録してある外部接続機器とのみアクセスを可能とし、登録されていない外部接続機器とのアクセスは出来ないようにできる。
【００１９】
また、メモリカード上にＩＤ情報を書き換え禁止にできるスイッチを有することで、あらかじめ登録してある外部接続機器以外の機器の登録を防ぎ、外部接続機器が不正に登録されることを防ぐことができる。
【発明を実施するための最良の形態】
【００２０】
（実施例１）
図３が本発明で用いられるメモリカードの一例である。
【００２１】
外部接続機器に差し込む、あるいは組み込み、端子を接触することで外部接続機器とカードのインターフェースを接続する機能を持っている。また、アンテナを内蔵しており非接触で外部接続機器と通信する機能をもっている。外部接続装置には、カードリーダー・ライターやデジタルカメラなどのメモリカードを使用する機器を想定している。
【００２２】
本メモリカードの内部構成を図２で説明する。
【００２３】
外部接続機器と接触して接続するインターフェース201と、外部接続機器と非接触で通信をおこなうアンテナ204を有し、それぞれアクセス手段203へ接続されている。アクセス手段203は当該アクセス手段を制御するコントローラ205と接続され、アクセスの許可・不許可の制御、データの送受信等を行っている。また、アクセス手段203は記憶手段202と接続され、外部接続機器から送信されてきたデータを記憶手段202で保存、あるいは記憶手段202よりデータを読み出し、インターフェース201、またはアンテナ204よりデータを外部接続機器へ出力する。スイッチ206は本実施例では使用しない。
【００２４】
次に動作の具体例を実際の動作に則し説明する。
【００２５】
あらかじめ、通信を行いたい外部接続機器のＩＤ情報をメモリカードに登録する必要がある。
【００２６】
外部接続機器へメモリカードを近づけ、外部接続機器とメモリカードが通信可能範囲内の距離に近づいた場合、外部接続機器はカードの存在を認識し、外部接続機器自身のＩＤ情報をメモリカードへ送信する。外部接続機器がメモリカードの登録モードになっている場合には、ＩＤ情報の送信とともにＩＤ情報を記録する命令を送信する。
【００２７】
一方、メモリカード側は、外部接続機器からのＩＤ情報、命令の受信待機状態になっている。
【００２８】
メモリカードが外部接続機器からのＩＤ情報とＩＤ情報記録命令を受信した場合には、メモリカードのコントローラ205はアクセス手段203を介して、記憶手段の保存領域に送信されてきたアクセス許可を与える外部接続機器のＩＤ情報を保存する。ここで外部接続機器のＩＤ情報を保存する領域はＩＤ情報専用の保存領域でもよい。
【００２９】
以上の処理が終われば、メモリカードにアクセスの許可を与える外部接続機器の登録が終えたこととなる。
【００３０】
次にメモリカード内のデータを外部接続機器からアクセスする場合を説明する。
【００３１】
外部接続機器へメモリカードを近づけ、外部接続機器とメモリカードが通信可能範囲内の距離に近づいた場合、外部接続機器はメモリカードの存在を認識し、外部接続機器自身のＩＤをメモリカードへ送信する。
【００３２】
一方、メモリカードは外部接続機器からのＩＤ情報の受信待機状態になっている。
【００３３】
メモリカードが外部接続機器からのＩＤ情報を受信した場合には、メモリカードのコントローラ205はアクセス手段203を介して、記憶手段202のアクセス許可を与える外部接続機器のＩＤの保存領域からアクセス許可のあるＩＤ情報と送信されてきたＩＤ情報を比較し、同一であるかを確認する。ＩＤ情報が異なっていた場合には、コントローラ205はアクセス手段203へアクセスの禁止の指示を出し、アクセス手段203はインターフェース201、あるいはアンテナ204から入力されるアクセス命令を無視する。
【００３４】
また、ＩＤ情報が一致していた場合には、コントローラ205はアクセス手段203へアクセスの許可の指示を出し、アクセス手段203はインターフェース201、あるいはアンテナ204から入力されるアクセス命令を実行する。
【００３５】
アクセス命令にはメモリカード内のデータの送信要求、メモリカードへのデータ保存要求等がある。メモリカード内のデータの送信要求がきた場合にはコントローラ205がアクセス許可を与えている場合にアクセス手段203は記憶手段202よりデータを読み出し、インターフェース201、あるいはアンテナ204よりデータを送信する。外部接続機器はそのデータを受信することでメモリカードないのデータを読み取ることができる。また、メモリカードへのデータ保存要求がきた場合にはコントローラ205がアクセス許可を与えている場合にアクセス手段203はインターフェース201、あるいはアンテナ204より外部接続機器から送られてくるデータを受信し、記憶手段202を介してデータを保存する。このようにして、外部接続機器はメモリカード内へデータを書き込むことができる。
【００３６】
コントローラ205がアクセス許可を与えていない場合には、アクセス手段203は外部接続機器から送信され、インターフェース、あるいはアンテナを介して入力されるアクセス命令を一切、実行しない。
【００３７】
以上の処理で、あらかじめ登録された外部接続機器とメモリカードの間でのみ、メモリカード内のデータにアクセスすることができる。
【００３８】
（実施例２）
図４が本実施例で用いられるメモリカードの一例である。
【００３９】
外部接続機器に差し込む、あるいは組み込み、端子を接触することで外部接続機器とメモリカードのインターフェースを接続する機能を持っている。また、アンテナを内蔵しており非接触で外部接続機器と通信する機能をもっている。また、アクセスを許可する外部接続機器のＩＤを保存しているメモリを書き換え許可・不許可を切り替えるスイッチを持っている。図５のようにスイッチはオン−オフスイッチだけでなく、プッシュ式や静電容量スイッチでもよく、また複数のスイッチがあっても良い。
【００４０】
本メモリカードの内部構成を図２で説明する。
【００４１】
外部接続機器と接触して接続するインターフェース201と、外部接続機器と非接触で通信をおこなうアンテナ204を有し、それぞれアクセス手段203へ接続されている。アクセス手段203は当該アクセス手段を制御するコントローラ205と接続され、アクセスの許可・不許可の制御、データの送受信等を行っている。また、アクセス手段203は記憶手段202と接続され、外部接続機器がら送信されてきたデータを記憶手段で保存、あるいは記憶手段よりデータを読み出し、インターフェース201、またはアンテナ204よりデータを外部接続機器へ出力する。
【００４２】
さらに当該メモリカードにはスイッチ206がついておりスイッチ206の状態はコントローラ205へ入力されコントローラ205からスイッチ206のオン・オフの状態がわかるようになっている。
【００４３】
次に動作の具体例を実際の動作に則し説明する。
【００４４】
スイッチ206がオン状態で外部接続機器へメモリカードを近づけ、外部接続機器とメモリカードが通信可能範囲内の距離に近づいた場合、外部接続機器はメモリカードの存在を認識し、外部接続機器自身のＩＤをメモリカードへ送信する。
【００４５】
一方、メモリカード200側はスイッチ206がオン状態にあるので、アクセス許可を与える外部接続機器の登録モードになっており、外部接続機器からのＩＤ情報の受信待機状態になっている。
【００４６】
メモリカードが外部接続機器からのＩＤ情報を受信した場合には、メモリカードのコントローラ205はアクセス手段203を介して、記憶手段202のアクセス許可を与える外部接続機器のＩＤの保存領域に送信されてきたＩＤ情報を保存する。
【００４７】
以上の処理が終われば、メモリカードにアクセスの許可を与える外部接続機器の登録が終えたこととなる。
【００４８】
登録が終わったならば、メモリカードのスイッチ206をオフにすることで、アクセス許可を与える外部接続機器のＩＤ保存領域の書き換えが禁止される。アクセス許可を与える外部接続機器のＩＤ保存領域の書き換えが禁止されることで、登録した外部接続機器以外を登録することが不可能となり、登録してある外部接続機器とのみ通信許可をあたえることができるようになる。
【００４９】
次にメモリカード内のデータを外部接続機器からアクセスする場合を説明する。
【００５０】
スイッチ206がオフ状態で外部接続機器へメモリカードを近づけ、外部接続機器とメモリカードが通信可能範囲内の距離に近づいた場合、外部接続機器はメモリカードの存在を認識し、外部接続機器自身のＩＤをメモリカードへ送信する。
【００５１】
一方、メモリカード側はスイッチ206がオフ状態にあるので、アクセス許可を持っている外部接続機器とのアクセスモードになっており、メモリカードは外部接続機器からのＩＤ情報の受信待機状態になっている。
【００５２】
メモリカードが外部接続機器からのＩＤ情報を受信した場合には、メモリカードのコントローラ205はアクセス手段203を介して、記憶手段のアクセス許可を与える外部接続機器のＩＤの保存領域からアクセス許可のあるＩＤ情報と送信されてきたＩＤ情報を比較し、同一であるかを確認する。ＩＤ情報が異なっていた場合には、コントローラ205はアクセス手段203へアクセスの禁止の指示を出し、アクセス手段203はインターフェース201、あるいはアンテナ204から入力されるアクセス命令を実行しない。
【００５３】
また、ＩＤ情報が一致していた場合には、コントローラ205はアクセス手段203へアクセスの許可の指示を出し、アクセス手段203はインターフェース201、あるいはアンテナ204から入力されるアクセス命令を実行する。
【００５４】
アクセス命令にはメモリカード内のデータの送信要求、メモリカードへのデータ保存要求等がある。メモリカード内のデータの送信要求がきた場合にはコントローラ205がアクセス許可を与えている場合にアクセス手段203は記憶手段202よりデータを読み出し、インターフェース201、あるいはアンテナ204よりデータを送信する。外部接続機器はそのデータを受信することでメモリカード内のデータを読み取ることができる。また、メモリカードへのデータ保存要求がきた場合にはコントローラ205がアクセス許可を与えている場合にアクセス手段203はインターフェース201、あるいはアンテナ204より外部接続機器から送られてくるデータを受信し、記憶手段を介してデータを保存する。このようにして、外部接続機器はメモリカード内へデータを書き込むことができる。
【００５５】
コントローラがアクセス許可を与えていない場合には、アクセス手段203は外部接続機器から送信され、インターフェース201、あるいはアンテナ204を介して入力されるアクセス命令を一切、実行しない。
【００５６】
以上の処理で、あらかじめ登録された外部接続機器とメモリカードの間でのみ、メモリカード内のデータと通信することが実現できる。
【００５７】
（実施例３）
実施例２において、メモリカード200は、非接触で通信する手段以外に、接触して通信を行う端子を有する。
【００５８】
本発明のメモリカードには、外部接続機器に差し込まれた、あるいは組み込まれた状態のときにでも、メモリカード自体に非接触で通信する機能を有するため、他の外部接続機器からＩＤ情報の登録を行われる可能性がある。
【００５９】
上記問題を解決するために以下のような処理を行う。
【００６０】
外部接続機器に差し込む、あるいは組み込み、端子を接触することで外部接続機器とメモリカードのインターフェースを接続して通信を行っているときにはコントローラが接触して通信を行っていることを検出し、スイッチのオン・オフにかかわらず、コントローラは外部接続機器を識別するＩＤ情報の保存・更新をおこなうアクセスを禁止する。
【００６１】
以上の処理により、外部接続機器に差し込まれた、あるいは組み込まれた状態のときに、他の外部接続機器からＩＤ情報の登録を行われるのを防ぐことが可能となる。
【００６２】
（実施例４）
実施例２において、メモリカード200は、非接触で通信する手段以外に、接触して通信を行う端子を有する。
【００６３】
本発明のメモリカードには、外部接続機器に差し込まれた状態のときにでも、メモリカード自体に非接触で通信する機能を有するため、他の外部接続機器からＩＤ情報の登録を行われる可能性がある。
【００６４】
上記問題を解決するために以下のような処理を行う。
【００６５】
図９のように外部接続機器900のスロットに突起を設けた場合に、外部接続機器900のスロットにメモリカード901を差し込んだ際、突起とスイッチ902が接触し、メモリカード901が奥まで挿入された場合には、スイッチ902がオフになるような機構になっている。
【００６６】
以上の機構を有する外部接続機器にメモリカード901を差し込んだ場合、自動的にスイッチ902がオフになる。また、スイッチがオフになる機構はプッシュスイッチがスロット自体に押されるような機構でもよい。
【００６７】
スイッチ902がオフになっている場合、コントローラは外部接続機器を識別するＩＤ情報の保存・更新をおこなうアクセスを禁止する。
【００６８】
以上の処理により、外部接続機器に差し込まれた状態のときには、他の外部接続機器からＩＤ情報の登録を行われるのを防ぐことが可能となる。
【００６９】
（実施例５）
実施例２において、外部接続装置が複数存在し、一方の外部接続機器のみと通信を行いたい場合を考える（図１０）。
【００７０】
通信を行いたい外部接続機器の１つ(600a)をあらかじめメモリカード200に登録しておく。
【００７１】
次にメモリカード内のデータを外部接続機器からアクセスする場合を説明する。
【００７２】
複数の外部接続機器へメモリカードを近づけ、複数の外部接続機器とメモリカードが通信可能範囲内の距離に近づいた場合、複数の外部接続機器はそれぞれメモリカードの存在を認識し、外部接続機器自身のＩＤをメモリカードへ送信する。
【００７３】
一方、メモリカード200は外部接続機器からのＩＤ情報の受信待機状態になっている。
【００７４】
メモリカードが複数の外部接続機器からのＩＤ情報を受信した場合には、メモリカードのコントローラ205はアクセス手段203を介して、記憶手段202のアクセス許可を与える外部接続機器のＩＤの保存領域からアクセス許可のあるＩＤ情報と送信されてきたＩＤ情報を比較し、同一であるかを確認する。ＩＤ情報が異なっていた場合には、コントローラ205はアクセス手段203へアクセスの禁止の指示を出し、アクセス手段203はインターフェース201、あるいはアンテナ204から入力されるアクセス命令を無視する。
【００７５】
また、ＩＤ情報が一致していた場合には、コントローラ205はアクセス手段203へアクセスの許可の指示を出し、アクセス手段203はインターフェース201、あるいはアンテナ204から入力されるアクセス命令を実行する。
【００７６】
この場合、各アクセス命令にはＩＤ情報が添付されており、各アクセス命令がどの外部接続機器から送信されてきたかがわかるようになっている。
【００７７】
以上の処理で、複数の外部接続機器が存在する場合でも、あらかじめ登録された外部接続機器とカードの間でのみ、メモリカード内のデータを通信することで、目的の外部接続機器のみとの通信が実現できる。
【００７８】
（実施例６）
実施例２において、メモリカードが複数存在し、一方のメモリカードのみと通信を行いたい場合を考える（図１１）。
【００７９】
外部接続機器のＩＤ情報をあらかじめ一方の通信を行いたいメモリカード200aに登録しておく。
【００８０】
次にメモリカード内のデータを外部接続機器からアクセスする場合を説明する。
【００８１】
外部接続機器へメモリカードを近づけた際に、複数のメモリカードが存在し、外部接続機器と複数のメモリカードが通信可能範囲内の距離に近づいた場合、外部接続機器はそれぞれメモリカードの存在を認識し、外部接続機器自身のＩＤをそれぞれのメモリカードへ送信する。
【００８２】
一方、メモリカード200a,200bはそれぞれ外部接続機器からのＩＤ情報の受信待機状態になっている。
【００８３】
メモリカードが外部接続機器からのＩＤ情報を受信した場合には、メモリカードのコントローラ200はアクセス手段203を介して、記憶手段202のアクセス許可を与える外部接続機器のＩＤの保存領域からアクセス許可のあるＩＤ情報と送信されてきたＩＤ情報を比較し、同一であるかを確認する。ＩＤ情報が異なっていた場合には、コントローラ205はアクセス手段203へアクセスの禁止の指示を出し、アクセス手段203はインターフェース201、あるいはアンテナ204から入力されるアクセス命令を無視する。
【００８４】
また、ＩＤ情報が一致していた場合には、コントローラ205はアクセス手段203へアクセスの許可の指示を出し、アクセス手段203はインターフェース201、あるいはアンテナ204から入力されるアクセス命令を実行する。
【００８５】
この場合、メモリカード200aはあらかじめ外部接続機器600のＩＤ情報が登録されているので外部接続機器からアクセスができる。メモリカード200bは外部接続機器600のＩＤ情報が登録されていないため外部接続機器からアクセスが出来ない。
【００８６】
以上の処理で、複数のメモリカードが存在する場合でも、あらかじめ登録された外部接続機器とメモリカードの間でのみ、メモリカード内のデータを通信することで、目的の外部接続機器のみとの通信が実現できる。
【図面の簡単な説明】
【００８７】
【図１】従来のメモリカード。
【図２】本発明のブロック構成図。
【図３】実現例１。
【図４】実現例２。
【図５】スイッチの形状。
【図６】ＩＤ情報の登録。
【図７】アクセス許可時。
【図８】アクセス不許可時。
【図９】カード挿入時の機構。
【図１０】外部接続機器が複数存在した場合の動作。
【図１１】カードが複数存在した場合の動作。
【符号の説明】
【００８８】
１００  メモリカード
１０１  インターフェース
１０２  アクセス手段
１０３  アクセス制限手段
１０４  記憶手段
１０５  スイッチ
２００  メモリカード
２０１  インターフェース
２０２  記憶手段
２０３  アクセス手段
２０４  アンテナ
２０５  コントローラ
２０６  スイッチ
６００  外部接続機器（カメラ）
９００  外部接続機器およびスロット
９０１  メモリカード
９０２  スイッチ
【図１】
2006107244.tif 000003
【図２】
2006107244.tif 000004
【図３】
2006107244.tif 000005
【図４】
2006107244.tif 000006
【図５】
2006107244.tif 000007
【図６】
2006107244.tif 000008
【図７】
2006107244.tif 000009
【図８】
2006107244.tif 000010
【図９】
2006107244.tif 000011
【図１０】
2006107244.tif 000012
【図１１】
2006107244.tif 000013